(57)【特許請求の範囲】
【請求項１】
洗浄槽と、食器類を配置し前記洗浄槽内に収納する食器かごと、前記洗浄槽内の洗浄水を加圧する洗浄ポンプと、前記洗浄槽内に回転自在に配設し洗浄水を噴射する噴射孔を有する洗浄ノズルと、洗浄水を加熱する発熱体と、前記洗浄槽内の洗浄水を排出する排水ポンプと、前記洗浄槽内に空気を送風する送風ファンと、洗浄行程、すすぎ行程、乾燥行程、排水行程などを有する運転プログラムを制御する制御装置とを備え、前記制御装置は、最終のすすぎ行程終了後に行う排水行程および乾燥行程を省略する排水制御運転プログラムを有し、前記排水制御運転プログラムを実施した後に行う運転プログラムは、運転開始時に排水行程を行わないようにし、排水制御運転プログラムを選択した運転で行うすすぎ行程で、食器類を高温に加熱する加熱すすぎ行程の所定温度を、少なくとも排水制御運転プログラムでないすすぎ行程での加熱すすぎ行程の所定温度よりも低温になるようにした食器洗い乾燥機。
【請求項２】
洗浄槽と、食器類を配置し前記洗浄槽内に収納する食器かごと、前記洗浄槽内の洗浄水を加圧する洗浄ポンプと、前記洗浄槽内に回転自在に配設し洗浄水を噴射する噴射孔を有する洗浄ノズルと、洗浄水を加熱する発熱体と、前記洗浄槽内の洗浄水を排出する排水ポンプと、前記洗浄槽内に空気を送風する送風ファンと、洗浄行程、すすぎ行程、乾燥行程、排水行程などを有する運転プログラムを制御する制御装置とを備え、前記制御装置は、最終のすすぎ行程終了後に行う排水行程および乾燥行程を省略する排水制御運転プログラムを有し、前記排水制御運転プログラムを実施した後に行う運転プログラムは、運転開始時に排水行程を行わないようにし、排水制御運転プログラムを選択した運転で行うすすぎ行程で、食器類を高温に加熱する加熱すすぎ行程において、食器類を所定温度にまで加熱した後に、新たに洗浄水を給水するようにした食器洗い乾燥機。
【請求項３】
運転開始時に排水行程を行わないように制御する洗浄水再利用手段を設けた請求項１または２記載の食器洗い乾燥機。
【請求項４】
制御装置は、洗浄行程からすすぎ行程までを行う運転と、洗浄行程からすすぎ行程または乾燥行程までを行う運転を、連続して行う連続運転プログラムを有する請求項１〜３のいずれか１項に記載の食器洗い乾燥機。
【請求項５】
排水制御運転プログラムを選択した運転で行うすすぎ行程で、食器類を高温に加熱する加熱すすぎ行程において、食器類を所定温度にまで加熱した後に、洗浄水の一部を排水してから、新たに洗浄水を給水するようにした請求項１〜４のいずれか１項に記載の食器洗い乾燥機。
【請求項６】
少なくとも１回目の運転のすすぎ行程における加熱すすぎ行程での洗浄水の給水量を、１回目の運転の洗浄行程やすすぎ行程での給水量よりも少なくなるようにした請求項２記載の食器洗い乾燥機。
【請求項７】
排水制御運転プログラムを選択した運転で行うすすぎ行程で、食器類を高温に加熱する加熱すすぎ行程を、最終すすぎ行程以外のすすぎ行程で行うようにした請求項１〜４のいずれか１項に記載の食器洗い乾燥機。
【発明の詳細な説明】
【０００１】
【発明の属する技術分野】
本発明は、洗浄水および空気を発熱体により加熱して、食器類を洗い、乾燥させる食器洗い乾燥機に関するものである。
【０００２】
【従来の技術】
従来、この種の食器洗い乾燥機は図１１に示すように構成をしていた。以下、その構成について説明する。
【０００３】
図１１に示すように、洗浄槽１は内部に食器類２を収納する食器かご３を設けている。また、洗浄槽１内には、洗浄槽１内の洗浄水を加熱する加熱手段として発熱体４を設け、洗浄槽１の下面に洗浄ポンプ５を設け、洗浄ノズル６の噴射孔７より洗浄水を噴射して食器かご３に収納した食器類２を洗浄するように構成している。給水弁８は水道水を洗浄槽１に給水するものである。洗浄槽１内の洗浄水は排水ポンプ９により排水する。
【０００４】
フィルタ１０は洗浄槽１に設け、洗浄行程およびすすぎ行程にて、残菜（食器類２に汚れとして付着していた食品を残菜という）を捕集する。送風ファン１１は、乾燥行程で運転して機外より吸気し、吸気した空気を洗浄槽１内に送風し、排気口１２より排気することにより、洗浄槽１内の食器類２を乾燥させる。洗浄槽１の前面にドア１３を開閉自在に設けている。
【０００５】
制御装置１４は、発熱体４、洗浄ポンプ５、排水ポンプ９等を制御して、洗浄、すすぎ、乾燥の一連の行程を逐次制御するよう構成している。
【０００６】
上記構成において動作を説明すると、利用者がドア１３を前方に開け、食器類２を食器かご３に配置し、洗浄槽１に収納して洗剤を入れた後、運転を開始すると、まず排水ポンプ９が動作して、前回の運転等で洗浄槽１内に残っている洗浄水（残水と呼ぶ）を機外へ排出する。
【０００７】
そして、給水弁８が動作して洗浄水を洗浄槽１に供給する。所定の洗浄水が供給されると、洗浄ポンプ５が洗浄水を加圧し、洗剤とともに洗浄ノズル６に設けた噴射孔７から洗浄水を噴射する。こうして洗浄行程が行われる。この洗浄行程では洗浄槽１内に設けた発熱体４に通電して、図１２に示すように、洗浄水を洗浄行程での所定温度Ｔｗまで加熱する。
【０００８】
所定時間の洗浄行程を経ると、次に食器類２から洗い落とされた汚れを含む洗浄水を排水ポンプ９により機外へ排出する。引き続いて、新たに洗浄水を供給して洗浄ノズル６に設けた噴射孔７から再び噴射して、洗剤や残菜等で汚れた食器類２をすすぐ行程を実行する。
【０００９】
このすすぎ行程を終えると、洗浄水を再び機外へ排出する。このすすぎ行程は連続して数回繰り返される。なお、洗浄行程およびすすぎ行程において、残菜は洗浄槽１に設けたフィルタ１０内に捕集される。
【００１０】
数回繰り返されるすすぎ行程において、最終のすすぎ行程では、加熱すすぎ行程が行われる。この行程では、図１２に示すように、洗浄水および食器類２を高温の加熱すすぎ行程での所定温度Ｔｒ（例えば７０℃）にまで加熱して食器類２をすすぐ。
【００１１】
最終のすすぎ行程である加熱すすぎ行程が終了すると乾燥行程が開始する。この行程では、送風ファン１１が動作して機外の空気が洗浄槽１内へ送り込まれる。送り込まれた空気は発熱体４により加熱された後、食器類２を乾燥させて排気口１２より機外へ排出される。乾燥行程終了後、運転を終了する。
【００１２】
【発明が解決しようとする課題】
このような従来の食器洗い乾燥機では、運転プログラムの一例として、図１２に示すように、洗浄行程、すすぎ行程、加熱すすぎ行程および乾燥行程の一連の行程を行う標準運転プログラムを備えている。そのため、多くの食器類２を洗浄したい場合、例えば、５人用の食器類２を収納することができる食器洗い乾燥機に対して、１０人分の食器類２を洗浄したい場合、まず、５人分の食器類２を洗浄槽１内に収納して標準運転プログラムを行い、その後、洗浄槽１内にある食器類２を取り出し、残りの５人分の食器類２を新たに洗浄槽１内に収納して標準運転プログラムを行う必要がある。
【００１３】
したがって、１０人分の食器類２を洗浄するためには、図１２に示す標準の運転プログラムを２回行わなければならず、多くの時間を有するという問題がある。
【００１４】
この解決策として、食器洗い乾燥機の運転時間を短縮するため、洗浄行程から加熱すすぎ行程までを行い、乾燥行程を省略する乾燥切運転プログラムも備えたものがある。この乾燥切運転プログラムを、少なくとも１回目の運転プログラムとして用いることにより、標準運転プログラムを２回行う場合よりも１回目の運転の乾燥行程を省略することができ、食器洗い乾燥機の運転時間を短縮することができる。
【００１５】
しかしながら、この乾燥切運転プログラムを用いても、加熱すすぎ行程が終了すると、洗浄水は排水ポンプ９により機外へ排出されてしまう。そのため、１回目に乾燥切運転プログラム、２回目に標準運転プログラムを用いて食器洗い乾燥機を２回運転する場合においても、２回目の標準運転プログラムを行う場合には新たな洗浄水が給水されるので、標準運転プログラムを２回運転する場合と略同量の洗浄水を使用することになるという問題がある。
【００１６】
本発明は上記従来の課題を解決するもので、複数回連続して運転するときの運転時間を短縮し、かつ使用水量を少なくして、多くの食器類を洗浄することを目的としている。
【００１７】
【課題を解決するための手段】
本発明は上記目的を達成するために、食器類を配置した食器かごを洗浄槽内に収納し、洗浄槽内に回転自在に配設し噴射孔を有する洗浄ノズルより洗浄ポンプにより加圧した洗浄水を噴射して食器類を洗浄し、洗浄槽内の洗浄水を排水ポンプにより排出し、送風ファンにより洗浄槽内に空気を送風し、制御装置により洗浄行程、すすぎ行程、乾燥行程、排水行程などを有する運転プログラムを制御するよう構成し、制御装置は、最終のすすぎ行程終了後に行う排水行程および乾燥行程を省略する排水制御運転プログラムを有し、排水制御運転プログラムを実施した後に行う運転プログラムは、運転開始時に排水行程を行わないようにし、排水制御運転プログラムを選択した運転で行うすすぎ行程で、食器類を高温に加熱する加熱すすぎ行程の所定温度を、少なくとも排水制御運転プログラムでないすすぎ行程での加熱すすぎ行程の所定温度よりも低温になるようにしたものである。
【００１８】
これにより、多くの食器類を洗浄することができるとともに、複数回連続して運転するときの運転時間を短縮することができ、かつ使用水量を少なくすることができる。
【００１９】
【発明の実施の形態】
本発明の請求項１に記載の発明は、洗浄槽と、食器類を配置し前記洗浄槽内に収納する食器かごと、前記洗浄槽内の洗浄水を加圧する洗浄ポンプと、前記洗浄槽内に回転自在に配設し洗浄水を噴射する噴射孔を有する洗浄ノズルと、洗浄水を加熱する発熱体と、前記洗浄槽内の洗浄水を排出する排水ポンプと、前記洗浄槽内に空気を送風する送風ファンと、洗浄行程、すすぎ行程、乾燥行程、排水行程などを有する運転プログラムを制御する制御装置とを備え、前記制御装置は、最終のすすぎ行程終了後に行う排水行程および乾燥行程を省略する排水制御運転プログラムを有し、前記排水制御運転プログラムを実施した後に行う運転プログラムは、運転開始時に排水行程を行わないようにし、排水制御運転プログラムを選択した運転で行うすすぎ行程で、食器類を高温に加熱する加熱すすぎ行程の所定温度を、少なくとも排水制御運転プログラムでないすすぎ行程での加熱すすぎ行程の所定温度よりも低温になるようにしたものであり、排水制御運転プログラムを選択することにより、多くの食器類を洗浄することができるとともに、１回目の運転のすすぎ行程で行う食器類を高温に加熱する加熱すすぎ行程で高温に加熱された洗浄水を、２回目の運転の洗浄行程で使用することにより、２回目の運転の洗浄行程では洗浄水を給水しないので洗浄水を１行程分少なくすることができ、使用水量を少なくすることができ、さらに、２回目の運転の洗浄時間を短縮することができるので、標準運転プログラム等を２回行う場合よりも運転時間を短縮することができる。また、排水制御運転プログラムのすすぎ行程で行う加熱すすぎ行程で、所定温度を低温度になるようにすることにより、１回目の運転の終了後、食器類を容易に取り出すことができ、また、消費電力を少なくすることができる。
【００２０】
請求項２に記載の発明は、洗浄槽と、食器類を配置し前記洗浄槽内に収納する食器かごと、前記洗浄槽内の洗浄水を加圧する洗浄ポンプと、前記洗浄槽内に回転自在に配設し洗浄水を噴射する噴射孔を有する洗浄ノズルと、洗浄水を加熱する発熱体と、前記洗浄槽内の洗浄水を排出する排水ポンプと、前記洗浄槽内に空気を送風する送風ファンと、洗浄行程、すすぎ行程、乾燥行程、排水行程などを有する運転プログラムを制御する制御装置とを備え、前記制御装置は、最終のすすぎ行程終了後に行う排水行程および乾燥行程を省略する排水制御運転プログラムを有し、前記排水制御運転プログラムを実施した後に行う運転プログラムは、運転開始時に排水行程を行わないようにし、排水制御運転プログラムを選択した運転で行うすすぎ行程で、食器類を高温に加熱する加熱すすぎ行程において、食器類を所定温度にまで加熱した後に、新たに洗浄水を給水するようにしたものであり、すすぎ行程で行う加熱すすぎ行程では、洗浄水および食器類は所定温度まで加熱されるので、衛生的で清潔に仕上げることができるともに、洗浄水および食器類が加熱すすぎ行程での所定温度まで加熱された後、新たに洗浄水が給水されるので、加熱すすぎ行程が終了すると、食器類の温度は低下しているので、使用者は、洗浄槽内に収納されている食器類を容易に取り出すことができる。
【００２１】
請求項３に記載の発明は、上記請求項１または２に記載の発明において、運転開始時に排水行程を行わないように制御する洗浄水再利用手段を設けたものであり、洗浄水再利用手段により、前回の運転のすすぎ行程で行う食器類を高温に加熱する加熱すすぎ行程で、使用した洗浄水を再利用して洗浄行程で使用することができるので、制御装置は、前回の運転で排水制御運転プログラムで運転されたかどうかを記憶しておく必要がないので、制御を容易にすることができる。さらに、運転を行うたびに、排水制御運転プログラムと洗浄水再利用手段を用いれば、何回でも加熱すすぎ行程で使用した洗浄水を再利用することができるので、多くの食器類を洗浄することができ、かつ使用水量を少なくすることができる。
【００２２】
請求項４に記載の発明は、上記請求項１〜３のいずれか１項に記載の発明において、制御装置は、洗浄行程からすすぎ行程までを行う運転と、洗浄行程からすすぎ行程または乾燥行程までを行う運転を、連続して行う連続運転プログラムを有するものであり、連続運転プログラムは使用者にとって分かりやすく、かつ誤操作も少なく簡単な操作で連続して運転し、多くの食器類を洗浄することができる。さらに、連続運転プログラムという専用の運転プログラムを設けることにより、排水制御運転プログラムや洗浄水再利用手段を備えなくても連続して運転することができるので、制御装置の制御を容易にすることができる。
【００２３】
請求項５に記載の発明は、上記請求項１〜４に記載の発明において、排水制御運転プログラムを選択した運転で行うすすぎ行程で、食器類を高温に加熱する加熱すすぎ行程において、食器類を所定温度にまで加熱した後に、洗浄水の一部を排水してから、新たに洗浄水を給水するようにしたものであり、すすぎ行程で行う加熱すすぎ行程において、洗浄水の一部が排水されるため、洗浄槽内に残っている高温の洗浄水の量は少なくなるので、新たに給水される洗浄水の量を少なくして、加熱すすぎ行程終了時の洗浄水の温度を低温にすることができる。さらに、加熱すすぎ行程で洗浄水の一部を排水した後に、新たに洗浄水を給水するので、加熱すすぎ行程終了後の洗浄槽内に存在する洗浄水の量を少なくすることができる。そのため、フィルタの取っ手を洗浄水の水面よりも上部の位置にすることができるので、使用者は、運転終了後も容易にフィルタを洗浄槽から取り出すことができる。
【００２４】
請求項６に記載の発明は、上記請求項２に記載の発明において、少なくとも１回目の運転のすすぎ行程における加熱すすぎ行程での洗浄水の給水量を、１回目の運転の洗浄行程やすすぎ行程での給水量よりも少なくなるようにしたものであり、すすぎ行程で行う加熱すすぎ行程では、高温の所定温度まで加熱して、衛生的で清潔に仕上げることができるともに、１回目の運転における使用水量を少なくすることができ、制御装置の制御を容易にすることができ、さらに１回目の運転終了後、使用者は、洗浄槽内に収納されている食器類を容易に取り出すことができる。
【００２５】
請求項７に記載の発明は、上記請求項１〜４に記載の発明において、排水制御運転プログラムを選択した運転で行うすすぎ行程で、食器類を高温に加熱する加熱すすぎ行程を、最終すすぎ行程以外のすすぎ行程で行うようにしたものであり、食器洗い乾燥機の構成および制御装置を大きく変更することなく、食器類を高温の所定温度まで加熱する行程を設けることができるとともに、運転終了後、使用者は、食器類を容易に取り出すことができる。
【００２６】
【実施例】
以下、本発明の実施例について、図面を参照しながら説明する。なお、従来例と同じ構成のものは同一符号を付して説明を省略する。
【００２７】
（実施例１）
図１および図２に示すように、制御装置２０は、洗浄行程、すすぎ行程、加熱すすぎ行程、乾燥行程などの一連の行程を行う標準運転プログラム２１、洗浄行程や加熱すすぎ行程での所定温度を低く設定して運転時間を標準運転プログラム２１よりも短縮したさっと洗い運転プログラム２２、加熱すすぎ行程で洗浄水や食器類２を約８０℃の高温にまで加熱する念入り運転プログラム２３、洗浄行程、すすぎ行程、加熱すすぎ行程を行い乾燥行程を省略する乾燥切運転プログラム２４、食器類２を数分間すすぐだけの予洗運転プログラム２５などの運転プログラムを有している。
【００２８】
また、標準運転プログラム２１、さっと洗い運転プログラム２２、念入り運転プログラム２３、乾燥切プログラム２４などの各運転プログラムにおいて、加熱すすぎ行程終了後に行う排水行程および乾燥行程を省略する排水制御運転プログラムを有している。この排水制御運転プログラムは、図２に示す排水停止ボタン２６を押すことにより選択できるようにしている。
【００２９】
この排水制御運転プログラムを選択した場合、例えば、排水停止ボタン２６を押して標準運転プログラム２１を動作させると、標準運転プログラム２１は、図３に示すように、加熱すすぎ行程が終了すると、洗浄水を機外へ排水することなく運転を終了する。
【００３０】
そして、排水制御運転プログラムによる運転プログラムが終了した後に、新たに標準運転プログラム２１、さっと洗い運転プログラム２２、念入り運転プログラム２３および乾燥切プログラム２４、予洗プログラム２５等の運転プログラムを選択して運転させる場合、制御装置２０は、前回の運転で排水停止ボタン２６を押して排水制御運転プログラムを選択したことを記憶しておくことにより、運転開始時に行う排水行程を省略するように制御する。そして、選択された運転プログラムを動作させるようにしている。
【００３１】
上記構成において図３を参照しながら、排水制御運転プログラムを選択した場合の動作を説明する。
【００３２】
食器洗い乾燥機の容量に対して多くの食器類２を洗浄する場合、例えば、５人用の食器洗い乾燥機に対し、１０人分の食器類２を洗浄する場合、まず、５人分の食器類２を食器かご３に配置して洗浄槽１内に収納し、洗浄槽１内に所定量の洗剤を投入し、排水停止ボタン２６を押して、排水制御運転プログラムを動作させ、運転したいプログラムをコースボタン２７を選択して押し、スタートボタン２８を押して１回目の運転を開始させる。
【００３３】
選択された運転プログラムが例えば標準運転プログラム２１の場合は、運転が開始すると、まず、排水ポンプ９が動作して洗浄槽１内に残っている残水を機外へ排出する。そして、給水弁８に通電することで洗浄水が供給される。所定量の洗浄水が供給されると、洗浄ポンプ５が駆動して洗浄水を加圧する。加圧された洗浄水は洗浄ノズル６に供給され、洗浄ノズル６に設けた噴射孔７から噴射される。そして、洗浄水は洗浄槽１および食器類２に供給される。こうして食器類２を洗浄する洗浄行程が行われる。
【００３４】
この洗浄行程では、発熱体４に通電することにより、洗浄水は洗浄行程での所定温度Ｔｗまで加熱される。所定時間の洗浄行程を経ると、排水ポンプ９が動作し、食器類２から洗い落とされた汚物等を含む洗浄水を機外へ排出する排水行程が行われる。
【００３５】
そして、新たに洗浄水を供給し、洗浄ノズル６に設けた噴射孔７から洗浄水を噴射することで洗剤や残菜等で汚れた食器類２をすすぐ行程を行う。この行程終了後、再び洗浄水を機外へ排出する。そして、このすすぎ行程は連続して数回繰り返される。数回繰り返されるすすぎ行程において、最終のすすぎ行程では、食器類２を高温Ｔｒまで加熱する加熱すすぎ行程が行われる。
【００３６】
１回目の運転の加熱すすぎ行程が終了すると、制御装置２０は、加熱すすぎ行程で使用された洗浄水を機外へ排水することなく、標準運転プログラム２１の運転を終了する。
【００３７】
そして、使用者は、洗浄槽１内に収納した食器類２を取り出し、新たに、まだ洗浄されていない残りの５人分の食器類２を洗浄槽１内に収納して、その後、排水停止ボタン２６を押すことなく、運転プログラムをコースボタン２７により選択して、スタートボタン２８を押すことにより、２回目の運転を開始し、新たに収納した食器類２を洗浄して乾燥することができる。
【００３８】
この２回目の運転では、制御装置２０は、直前に行われた１回目の運転で、排水停止ボタン２６が押されたことを記憶しておくことにより、運転開始時には排水行程を行わず、１回目の運転の加熱すすぎ行程で高温Ｔｒにまで加熱された洗浄水を、２回目の運転の洗浄行程で使用するように制御する。
【００３９】
このことにより、２回目の運転の洗浄行程で洗浄水を新たに給水する必要がなく、また、図３に示すように、２回目の運転の洗浄行程の開始温度Ｔ２が、１回目の運転の洗浄行程の開始温度Ｔ１よりも高くなる。そのため、洗浄行程での所定温度Ｔｗに到達する時間を１回目の運転よりも短縮することができる。
【００４０】
それゆえ、排水停止ボタン２６を押して排水制御運転プログラムを選択することにより、多くの食器類２を洗浄できるとともに、２回目の運転の洗浄行程の時間を短縮することができるので、排水制御運転プログラムを選択せずに標準運転プログラム２１を２回行う場合や、１回目に乾燥切運転プログラム２４、２回目に標準運転プログラム２１を行う場合よりも、運転時間を短縮することができる。
【００４１】
さらに、２回目の運転の洗浄行程では洗浄水を給水しないので、洗浄水を１行程分少なくすることができ、使用水量を少なくすることができる。
【００４２】
なお、１回目の運転で取り出された食器類２は、１回目の運転の加熱すすぎ行程で高温Ｔｒにまで加熱されているので、その余熱で自然乾燥させることができる。
【００４３】
また、１回目の運転の加熱すすぎ行程終了後、送風ファン１１を動作させて洗浄槽１内の蒸気を機外へ排出したり、食器類２を乾燥させる行程を設けてもよい。
【００４４】
（実施例２）
図４に示すように、図１に示す制御装置２０は、運転開始時に排水行程を行わないように制御する再利用ボタン（洗浄水再利用手段）２９を備えており、再利用ボタン２９を押した後にスタートボタン２８を押すことにより、運転開始時に排水行程を行わずに運転するようにしている。他の構成は上記実施例１と同じである。
【００４５】
上記構成において動作を説明する。上記実施例１と同様に、使用者が図４に示す排水停止ボタン２６を押して、まず排水制御運転プログラムを選択して洗浄行程から加熱すすぎ行程までを行い、加熱すすぎ行程終了後に行う排水行程および乾燥行程を省略する１回目の運転を行う。
【００４６】
この運転が終了すると、洗浄槽１内には加熱すすぎ行程で使用した高温の洗浄水が存在するので、ここで、使用者が洗浄槽１内の食器類２を取り出し、新たに洗浄したい食器類２を収納し、その後に再利用ボタン２９を押し、さらにスタートボタン２８を押して２回目の運転を行うことにより、制御装置２０は運転開始時に排水行程を行わない洗浄水再利用運転プログラムで運転を行う。このため、１回目の運転の加熱すすぎ行程で使用した洗浄水を再利用して２回目の洗浄行程で使用することができる。
【００４７】
したがって、再利用ボタン２９を押して、運転を開始することにより、前回の運転の加熱すすぎ行程で使用した洗浄水を再利用して洗浄行程で使用することができるので、制御装置２０は、前回の運転で排水停止ボタン２６を押して排水制御運転プログラムが選択されたどうかを記憶しておく必要がなく、制御装置２０の制御を容易にすることができる。
【００４８】
さらに、排水停止ボタン２６と再利用ボタン２９を押して、排水制御運転プログラムと洗浄水再利用運転プログラムの両方を選択することにより、運転開始時は、前回の運転の加熱すすぎ行程で使用した洗浄槽１内の洗浄水を排水せずに洗浄行程で利用できるとともに、加熱すすぎ行程終了後は加熱すすぎ行程で使用した洗浄水を排水せずに運転を終了する。
【００４９】
そのため、２回目以降の運転で、運転を行うたびに排水制御運転プログラムと洗浄水再利用運転プログラムの両方を選択すれば、何回でも加熱すすぎ行程で使用した洗浄水を再利用することができるので、多くの食器類２を洗浄することができ、かつ使用水量を少なくすることができる。
【００５０】
（実施例３）
図１に示す制御装置２０は、図５に示すように、洗浄行程から加熱すすぎ行程までを行い、加熱すすぎ行程終了後に行う排水行程および乾燥行程を省略する運転と、洗浄行程から加熱すすぎ行程または乾燥行程までを行う運転を、連続して行う連続運転プログラムを有している。
【００５１】
この連続運転プログラムは、図６に示すように、連続運転ボタン３１を押して選択することができる。そして、この連続運転ボタン３１を複数回押すことにより、図６における回数表示部３２の数字が連続運転ボタン３１を押した回数を表示し、その表示された回数だけ連続運転を行うようにしている。
【００５２】
また、連続運転プログラムは、最終運転以外の運転ではそれぞれ最終すすぎ行程である加熱すすぎ行程が終了すると、加熱すすぎ行程で使用した洗浄水を機外へ排水せずに、洗浄槽１内に洗浄水を残したまま、運転を停止する。そして、スタートボタン２８を押すことにより、連続運転プログラムの２回目以降の運転を開始するようにしている。
【００５３】
２回目以降の運転では、運転開始時に洗浄槽１内に残っている洗浄水を機外へ排水する排水行程を行わずに、前の運転の加熱すすぎ行程で使用した洗浄槽１内の洗浄水を利用して食器類２を洗浄するようにしている。他の構成は上記実施例１と同じである。
【００５４】
上記構成において動作を説明する。連続運転を複数回行う場合も基本動作は同じであるので、連続運転を２回行う場合について説明する。
【００５５】
連続運転を２回行う場合、図６に示す連続運転ボタン３１を２回押し、回数表示部３２に数字の２を表示させてスタートボタン２８を押す。
【００５６】
運転が開始すると、図５に示すように、洗浄行程から加熱すすぎ行程までの１回目の運転が行われる。１回目の運転の加熱すすぎ行程が終了すると、制御装置２０は、加熱すすぎ行程で使用された洗浄水を機外へ排水することなく、停止状態にする。
【００５７】
このとき、使用者は、洗浄槽１内に収納されている食器類２を取り出し、新たに、洗浄したい食器類２を洗浄槽１内に収納し、スタートボタン２８を押すことにより、図５に示すように、２回目の運転を開始し、新たに収納された食器類２を洗浄して乾燥することができる。
【００５８】
２回目の運転では、１回目の運転の加熱すすぎ行程で高温Ｔｒにまで加熱された洗浄水を、２回目の運転の洗浄行程で使用することにより、２回目の運転の洗浄行程で洗浄水を新たに給水する必要がなく、また、図５に示すように、２回目の運転の洗浄行程の開始温度Ｔ２が、１回目の運転の洗浄行程の開始温度Ｔ１よりも高くなる。そのため、洗浄行程での所定温度Ｔｗに到達する時間を１回目の運転よりも短縮することができる。
【００５９】
それゆえ、使用者は連続運転ボタン３１を必要回数だけ押すという簡単な操作で連続運転プログラムを選択することができるので、使用者にとって分かりやすく、かつ誤操作も少なく簡単な操作で連続して運転し、多くの食器類２を洗浄することができる。
【００６０】
さらに、連続運転プログラムという専用の運転プログラムを設けることにより、排水制御運転プログラムや洗浄水再利用運転プログラムを備えなくても連続して運転することができるので、制御装置２０の制御を容易にすることができる。
【００６１】
（実施例４）
図１に示す制御装置２０は、排水制御運転プログラムを選択した運転で行うすすぎ行程における加熱すすぎ行程、すなわち、１回目の運転の加熱すすぎ行程において、図７に示すように、２回目の運転や標準運転プログラム２１などにおける加熱すすぎ行程での所定温度Ｔｒよりも低温であるＴｒ１まで加熱するようにしている。他の構成は上記実施例１と同じである。
【００６２】
上記構成において動作を説明する。図２に示す排水停止ボタン２６を押して排水制御運転プログラムを選択し、運転を連続して２回行う場合に、１回目の運転の加熱すすぎ行程が終了すると、制御装置２０は、加熱すすぎ行程で使用した洗浄水を機外へ排水することなく運転を終了するので、食器類２を取り出すことができる。このとき、食器類２は、加熱すすぎ行程において、Ｔｒ１の温度までしか加熱されていないので、洗浄槽１内に収納されている食器類２を容易に取り出すことができる。
【００６３】
そして、スタートボタン２８を新たに押すことにより、１回目の加熱すすぎ行程で使用した洗浄水を用いて２回目の運転を行う。
【００６４】
また、１回目の運転の加熱すすぎ行程において、洗浄水は、２回目の運転や標準運転プログラムなどにおける加熱すすぎ行程での所定温度Ｔｒよりも低温度であるＴｒ１までしか加熱されないので、２回目の運転や標準運転プログラムなどにおける加熱すすぎ行程での所定温度Ｔｒまで加熱する場合よりも食器洗い乾燥機の消費電力を少なくすることができる。
【００６５】
したがって、１回目の運転の加熱すすぎ行程での所定温度をＴｒ１に設定することにより、１回目の運転の終了後、食器類２を容易に取り出すことができ、また、食器洗い乾燥機の消費電力を少なくすることができる。
【００６６】
なお、本実施例では、連続して２回運転を行う場合について説明したが、２回以上の複数回連続して運転を行う場合にも、同様の作用効果を得ることができる。
【００６７】
（実施例５）
図１に示す制御装置２０は、１回目の運転の加熱すすぎ行程において、図８に示すように、洗浄水が加熱すすぎ行程での所定温度Ｔｒにまで加熱されると、洗浄水を新たに給水するよう給水弁８を制御するようにしている。また、１回目の運転の加熱すすぎ行程において、洗浄水が加熱すすぎ行程での所定温度Ｔｒにまで加熱され、洗浄水が新たに給水された後も洗浄ポンプは動作して洗浄水を加圧し、洗浄水を洗浄ノズル６から噴射させるようにしている。他の構成は上記実施例１と同じである。
【００６８】
上記構成において動作を説明する。図２に示す排水停止ボタン２６を押して排水制御運転プログラムを選択し、運転を連続して２回行う場合に、１回目の運転の加熱すすぎ行程で、洗浄水が加熱すすぎ行程での所定温度Ｔｒまで加熱されると、制御装置２０により給水弁８が新たに洗浄水を洗浄槽１内に給水するので、加熱すすぎ行程での所定温度Ｔｒまで加熱された洗浄水、洗浄槽１および食器類２は、図８に示すように、Ｔｒ２の温度まで低下することになる。
【００６９】
加熱すすぎ行程での洗浄水の温度がＴｒからＴｒ２まで低下した後、制御装置２０は１回目の運転を終了する。そして、スタートボタン２８を新たに押すことにより、１回目の加熱すすぎ行程で使用した洗浄水を用いて２回目の運転を開始する。
【００７０】
したがって、１回目の運転の加熱すすぎ行程において、洗浄水および食器類２は、標準運転プログラムなどの加熱すすぎ行程での所定温度Ｔｒまで加熱されるので、衛生的で清潔に仕上げることができるとともに、１回目の運転が終了すると、食器類２は、Ｔｒ２の温度まで低下しているので、洗浄槽１内に収納されている食器類２を容易に取り出すことができる。
【００７１】
なお、本実施例では、連続して２回運転を行う場合について説明したが、２回以上の複数回連続して運転を行う場合にも、同様の作用効果を得ることができる。
【００７２】
（実施例６）
図１に示す制御装置２０は、１回目の運転の加熱すすぎ行程において、図８に示すように、洗浄水が加熱すすぎ行程での所定温度Ｔｒにまで加熱されると、洗浄水の一部を排水ポンプ９により排水して、その後、新たに給水弁８により洗浄水を給水するように制御している。また、１回目の運転の加熱すすぎ行程で、洗浄水が新たに給水された後も洗浄ポンプ５は動作して洗浄水を加圧し、洗浄水を洗浄ノズル６から噴射させるようにしている。他の構成は上記実施例１と同じである。
【００７３】
上記構成において動作を説明する。図２に示す排水停止ボタン２６を押して排水制御運転プログラムを選択し、運転を連続して２回行う場合に、１回目の運転の加熱すすぎ行程で、洗浄水が加熱すすぎ行程での所定温度Ｔｒまで加熱されると、制御装置２０により排水ポンプ９により洗浄水の一部を排水し、さらに給水弁８により新たに洗浄水を洗浄槽１内に給水する。
【００７４】
そのため、加熱すすぎ行程での所定温度Ｔｒまで加熱された洗浄水、洗浄槽１および食器類２は、図８に示すように、Ｔｒ２の温度まで低下する。
【００７５】
また、この加熱すすぎ行程では、高温の洗浄水の一部が機外へ排水されるので、洗浄槽１内に残っている高温Ｔｒの温度である洗浄水の量は、上記実施例５の場合よりも少なくなっている。そのため、新たに給水される洗浄水の量を、上記実施例５の場合よりも少なくして、加熱すすぎ行程終了時の洗浄水の温度がＴｒ２にすることができる。
【００７６】
さらに、加熱すすぎ行程で洗浄水の一部を排水した後に、新たに洗浄水を給水するので、加熱すすぎ行程終了後の洗浄槽１内に存在する洗浄水の量を上記実施例５の場合よりも少なくすることができる。そのため、図１に示すように、フィルタ１０の取っ手３３を洗浄水の水面Ｐよりも上部の位置にすることができる。
【００７７】
したがって、使用者は、１回目の運転終了後も容易にフィルタ１０を洗浄槽１から取り出すことができる。
【００７８】
なお、本実施例では、連続して２回運転を行う場合について説明したが、２回以上の複数回連続して運転を行う場合にも、同様の作用効果を得ることができる。
【００７９】
（実施例７）
図１に示す給水量検知手段３４は、給水弁８から洗浄槽１内に給水される洗浄水の量を検知するものであり、給水量検知手段３４により検知した給水量を制御装置２０に入力し、制御装置２０は、洗浄行程、すすぎ行程および加熱すすぎ行程の各行程で給水される洗浄水の量を制御し、複数回連続して運転を行う場合に、少なくとも１回目の運転の加熱すすぎ行程での洗浄水の給水量を、１回目の運転の洗浄行程やすすぎ行程での給水量よりも少なくなるようにしている。
【００８０】
また、洗浄水が加熱すすぎ行程での所定温度Ｔｒにまで加熱されると、洗浄水を新たに給水するようにしている。そして、洗浄水が新たに給水された後も、洗浄ポンプ５は洗浄水を加圧し、洗浄水を洗浄ノズル６および噴射孔７から噴射さするようにしている。他の構成は上記実施例１と同じである。
【００８１】
上記構成において動作を説明する。図２に示す排水停止ボタン２６を押して排水制御運転プログラムを選択し、運転を連続して２回行う場合に、給水量検知手段３４により制御装置２０は、１回目の運転の加熱すすぎ行程に給水される洗浄水の量を、洗浄行程やすすぎ行程で給水される洗浄水の量よりも少なくなるように制御する。
【００８２】
また、１回目の運転の加熱すすぎ行程では、洗浄水が加熱すすぎ行程での所定温度Ｔｒにまで加熱された後、制御装置２０が給水弁８を制御して、新たに洗浄水が洗浄槽１内に給水される。
【００８３】
そのため、加熱すすぎ行程での所定温度Ｔｒまで加熱された洗浄水、洗浄槽１および食器類２は、図８に示すように、Ｔｒ２の温度まで低下する。
【００８４】
また、加熱すすぎ行程での洗浄水の給水量は、洗浄およびすすぎ行程での洗浄水の給水量よりも少ないので、洗浄水が加熱すすぎ行程での所定温度Ｔｒにまで加熱された後に、新たに給水される洗浄水の量を、上記実施例５の場合よりも少ない量で、加熱すすぎ行程終了時の洗浄水の温度Ｔｒ２にすることができる。そのため、加熱すすぎ行程開始時の給水量および加熱すすぎ行程での所定温度Ｔｒにまで加熱された後に給水される洗浄水の量を上記実施例５の場合よりも少なくすることができる。
【００８５】
さらに、加熱すすぎ行程での給水量が少ないので、１回目の加熱すすぎ行程での所定温度Ｔｒまで加熱された洗浄水の一部を排水することなく、洗浄水をＴｒ２の温度まで低下させることができるので、上記実施例６の場合よりも制御装置２０による制御を容易にすることができる。
【００８６】
したがって、１回目の運転において、食器類２を標準運転プログラム２１等の加熱すすぎ行程で所定温度Ｔｒまで加熱して、衛生的で清潔に仕上げることができるともに、１回目の運転における使用水量を少なくとも上記実施例５の場合よりも少なくすることができ、制御装置２０の制御を上記実施例６の場合よりも容易にすることができ、１回目の運転終了後、使用者は、洗浄槽１内に収納されている食器類２を容易に取り出すことができる。
【００８７】
また、洗浄ポンプ５に洗浄ポンプ５の回転数を制御する洗浄ポンプ制御手段を設け、１回目の運転の加熱すすぎ行程において、洗浄ポンプ５の回転数を低回転にして洗浄水を加圧するようにすれば、加熱すすぎ行程での給水量をより少なくしても洗浄水を噴射孔から噴射させることができるので、加熱すすぎ行程での使用水量をより少なくすることができる。
【００８８】
なお、本実施例では、連続して２回運転を行う場合について説明したが、２回以上の複数回連続して運転を行う場合にも、同様の作用効果を得ることができる。
【００８９】
（実施例８）
図９に示すように、図２に示す排水停止ボタン２６を押して排水制御運転プログラムを用いて運転を連続して２回行う場合において、１回目の運転における加熱すすぎ行程は、１回目の運転の最終のすすぎ行程よりも前のすすぎ行程で行うようにしている。他の構成は上記実施例１と同じである。
【００９０】
上記構成において動作を説明する。制御装置２０は、１回目の運転における加熱すすぎ行程を、図９に示すように、１回目の運転の最終のすすぎ行程よりも前のすすぎ行程で行うように制御する。
【００９１】
このように制御することにより、食器類２を標準運転プログラム２１等の加熱すすぎ行程での所定温度Ｔｒまで加熱して、衛生的で清潔に仕上げることができる行程を設けることができるとともに、１回目の運転の最終のすすぎ行程では、食器類２は、図９に示すように、高温状態になるまで加熱されないので、１回目の運転終了後、使用者は食器類２を容易に取り出すことができる。
【００９２】
したがって、食器洗い乾燥機の構成および制御手段を大きく変更することなく、食器類２を高温の所定温度Ｔｒまで加熱する行程を設けることができるとともに、１回目の運転終了後、使用者は、食器類２を容易に取り出すことができる。
【００９３】
なお、図１０に示すように、洗浄行程にて、食器類２を高温Ｔｒまで加熱してもよい。
【００９４】
また、本実施例では、連続して２回運転を行う場合について説明したが、２回以上の複数回連続して運転を行う場合にも、同様の作用効果を得ることができる。
【００９５】
【発明の効果】
以上のように本発明の請求項１に記載の発明によれば、洗浄槽と、食器類を配置し前記洗浄槽内に収納する食器かごと、前記洗浄槽内の洗浄水を加圧する洗浄ポンプと、前記洗浄槽内に回転自在に配設し洗浄水を噴射する噴射孔を有する洗浄ノズルと、洗浄水を加熱する発熱体と、前記洗浄槽内の洗浄水を排出する排水ポンプと、前記洗浄槽内に空気を送風する送風ファンと、洗浄行程、すすぎ行程、乾燥行程、排水行程などを有する運転プログラムを制御する制御装置とを備え、前記制御装置は、最終のすすぎ行程終了後に行う排水行程および乾燥行程を省略する排水制御運転プログラムを有し、前記排水制御運転プログラムを実施した後に行う運転プログラムは、運転開始時に排水行程を行わないようにし、排水制御運転プログラムを選択した運転で行うすすぎ行程で、食器類を高温に加熱する加熱すすぎ行程の所定温度を、少なくとも排水制御運転プログラムでないすすぎ行程での加熱すすぎ行程の所定温度よりも低温になるようにしたから、排水制御運転プログラムを選択することにより、多くの食器類を洗浄することができるとともに、１回目の運転のすすぎ行程で行う食器類を高温に加熱する加熱すすぎ行程で高温に加熱された洗浄水を、２回目の運転の洗浄行程で使用することにより、２回目の運転の洗浄行程では洗浄水を給水しないので洗浄水を１行程分少なくすることができ、使用水量を少なくすることができ、さらに、２回目の運転の洗浄時間を短縮することができるので、標準運転プログラム等を２回行う場合よりも運転時間を短縮することができる。また、排水制御運転プログラムのすすぎ行程で行う加熱すすぎ行程で、所定温度を低温度になるようにすることにより、１回目の運転の終了後、食器類を容易に取り出すことができ、また、消費電力を少なくすることができる。
【００９６】
また、請求項２に記載の発明によれば、洗浄槽と、食器類を配置し前記洗浄槽内に収納する食器かごと、前記洗浄槽内の洗浄水を加圧する洗浄ポンプと、前記洗浄槽内に回転自在に配設し洗浄水を噴射する噴射孔を有する洗浄ノズルと、洗浄水を加熱する発熱体と、前記洗浄槽内の洗浄水を排出する排水ポンプと、前記洗浄槽内に空気を送風する送風ファンと、洗浄行程、すすぎ行程、乾燥行程、排水行程などを有する運転プログラムを制御する制御装置とを備え、前記制御装置は、最終のすすぎ行程終了後に行う排水行程および乾燥行程を省略する排水制御運転プログラムを有し、前記排水制御運転プログラムを実施した後に行う運転プログラムは、運転開始時に排水行程を行わないようにし、排水制御運転プログラムを選択した運転で行うすすぎ行程で、食器類を高温に加熱する加熱すすぎ行程において、食器類を所定温度にまで加熱した後に、新たに洗浄水を給水するようにしたから、すすぎ行程で行う加熱すすぎ行程では、洗浄水および食器類は所定温度Ｔｒまで加熱されるので、衛生的で清潔に仕上げることができるとともに、洗浄水および食器類が加熱すすぎ行程での所定温度まで加熱された後、新たに洗浄水が給水されるので、加熱すすぎ行程が終了すると、食器類の温度は低下しているので、使用者は、洗浄槽内に収納されている食器類を容易に取り出すことができる。
【００９７】
また、請求項３に記載の発明によれば、運転開始時に排水行程を行わないように制御する洗浄水再利用手段を設けたから、洗浄水再利用手段により、前回の運転のすすぎ行程で行う食器類を高温に加熱する加熱すすぎ行程で、使用した洗浄水を再利用して洗浄行程で使用することができるので、制御装置は、前回の運転で排水制御運転プログラムで運転されたかどうかを記憶しておく必要がないので、制御を容易にすることができる。さらに、運転を行うたびに、排水制御運転プログラムと洗浄水再利用手段を用いれば、何回でも加熱すすぎ行程で使用した洗浄水を再利用することができるので、多くの食器類を洗浄することができ、かつ使用水量を少なくすることができる。
【００９８】
また、請求項４に記載の発明によれば、制御装置は、洗浄行程からすすぎ行程までを行う運転と、洗浄行程からすすぎ行程または乾燥行程までを行う運転を、連続して行う連続運転プログラムを有するから、連続運転プログラムは使用者にとって分かりやすく、かつ誤操作も少なく簡単な操作で連続して運転し、多くの食器類を洗浄することができる。さらに、連続運転プログラムという専用の運転プログラムを設けることにより、排水制御運転プログラムや洗浄水再利用手段を備えなくても連続して運転することができるので、制御装置の制御を容易にすることができる。
【００９９】
また、請求項５に記載の発明によれば、排水制御運転プログラムを選択した運転で行うすすぎ行程で、食器類を高温に加熱する加熱すすぎ行程において、食器類を所定温度にまで加熱した後に、洗浄水の一部を排水してから、新たに洗浄水を給水するようにしたから、すすぎ行程で行う加熱すすぎ行程において、洗浄水の一部が排水されるため、洗浄槽内に残っている高温の洗浄水の量は少なくなるので、新たに給水される洗浄水の量を少なくして、加熱すすぎ行程終了時の洗浄水の温度を低温にすることができる。さらに、加熱すすぎ行程で洗浄水の一部を排水した後に、新たに洗浄水を給水するので、加熱すすぎ行程終了後の洗浄槽内に存在する洗浄水の量を少なくすることができる。そのため、フィルタの取っ手を洗浄水の水面よりも上部の位置にすることができるので、使用者は、運転終了後も容易にフィルタを洗浄槽から取り出すことができる。
【０１００】
また、請求項６に記載の発明によれば、少なくとも１回目の運転のすすぎ行程における加熱すすぎ行程での洗浄水の給水量を、１回目の運転の洗浄行程やすすぎ行程での給水量よりも少なくなるようにしたから、すすぎ行程で行う加熱すすぎ行程では、高温の所定温度まで加熱して、衛生的で清潔に仕上げることができるともに、１回目の運転における使用水量を少なくすることができ、制御装置の制御を容易にすることができ、さらに１回目の運転終了後、使用者は、洗浄槽内に収納されている食器類を容易に取り出すことができる。
【０１０１】
また、請求項７に記載の発明によれば、排水制御運転プログラムを選択した運転で行うすすぎ行程で、食器類を高温に加熱する加熱すすぎ行程を、最終すすぎ行程以外のすすぎ行程で行うようにしたから、食器洗い乾燥機の構成および制御装置を大きく変更することなく、食器類を高温の所定温度まで加熱する行程を設けることができるとともに、運転終了後、使用者は、食器類を容易に取り出すことができる。
【図面の簡単な説明】
【図１】  本発明の第１の実施例の食器洗い乾燥機の断面図
【図２】  同食器洗い乾燥機の一部切欠した正面図
【図３】  同食器洗い乾燥機の動作タイムチャート
【図４】  本発明の第２の実施例の食器洗い乾燥機の一部切欠した正面図
【図５】  本発明の第３の実施例の食器洗い乾燥機の動作タイムチャート
【図６】  同食器洗い乾燥機の一部切欠した正面図
【図７】  本発明の第４の実施例の食器洗い乾燥機の動作タイムチャート
【図８】  本発明の第５の実施例の食器洗い乾燥機の動作タイムチャート
【図９】  本発明の第８の実施例の食器洗い乾燥機の動作タイムチャート
【図１０】  同食器洗い乾燥機の他の例の動作タイムチャート
【図１１】  従来の食器洗い乾燥機の断面図
【図１２】  同食器洗い乾燥機の動作タイムチャート
【符号の説明】
１    洗浄槽
２    食器類
３    食器かご
４    発熱体
５    洗浄ポンプ
６    洗浄ノズル
７    噴射孔
９    排水ポンプ
１１  送風ファン
２０  制御装置
【図１】
0004126820.tif 000002
【図２】
0004126820.tif 000003
【図３】
0004126820.tif 000004
【図４】
0004126820.tif 000005
【図５】
0004126820.tif 000006
【図６】
0004126820.tif 000007
【図７】
0004126820.tif 000008
【図８】
0004126820.tif 000009
【図９】
0004126820.tif 000010
【図１０】
0004126820.tif 000011
【図１１】
0004126820.tif 000012
【図１２】
0004126820.tif 000013